(57)【特許請求の範囲】
【請求項１】
基礎（Ｂ）上に立設される複数の支柱（１）と、該支柱（１）にパネル支持具（２）を介して取付けられるパネルとによって構成される乾式塀において、上記支柱（１）にパネル支持具（２）を取付けるにあたり、支柱（１）には開口溝（１１）を形成し、該開口溝（１１）は内側壁に係止突起（１１ａ）を有すると共に、上下方向所定間隔を存して開口溝（１１）の開口端より溝底方向に切り欠かれ、その下方側に顎部（１２ａ）を有する切欠（１２）を形成する一方、上記パネル支持具（２）には前記顎部（１２ａ）に嵌合する折曲片（２ａ）を形成すると共に、該折曲片（２ａ）を前記顎部（１２ａ）嵌合した状態で、上記切欠（１２）に嵌入掛止する突片（６ｃ）を有し、かつ両側辺（６ａ）には上記係止突起（１１ａ）と係止可能な係止突起（６ｂ）を有する固定具（６）を上記開口溝（１１）に嵌合することにより、前記折曲片（２ａ）と顎部（１２ａ）との嵌合を保持するようにしたことを特徴とするパネル支持具（２）の固定構造。
【発明の詳細な説明】
【０００１】
【発明の属する技術分野】
本発明は家屋等の屋外に設置される乾式塀の組立て構造に関し、特にパネル支持具を容易かつ確実に支柱に固定することができるパネル支持具の固定構造に関するものである。
【０００２】
【従来の技術】
従来より、金属製の支柱の外面にパネル支持具等を介して外装材を取付けて外構としての壁面を形成する、いわゆる乾式塀装置が広く知られている。
この種の乾式塀において、壁面を形成するにあたっては、支柱にフック状の金具を固定し、このフックにパネルの下端部を支持させ、順次パネルを積み重ねていく引掛け金具方式が採用されている。
これに対して、特開平８−２２６２５５号のように、予め支柱にフック状の金具を固定しておいて、この金具に長尺状のパネル支持具を引掛け固定した後、この支持具にパネルの下端を支持させ、順次パネルを積み重ねて壁面を形成していく方式が開示されている。
【０００３】
【発明が解決しようとする課題】
しかしながら、前者の方式によると、パネルの全重量をフック金具のみで支持しているため強度的な問題から、合成樹脂製のパネルやパネル厚の小さいパネルしか取付けることができなかった。ところがこのような、軽量パネルを使用した塀は、仕上がった時の印象が軽々しく、重厚な外観を呈することができなかった。また、支柱にフック金具をビス止めするため、現場における作業が煩雑な上、水平レベルの調整が困難であった。
【０００４】
これに対して、後者の方式によれば、長尺状のパネル支持具とフック金具でパネルを支持するため、比較的重量のあるパネルを支持することができ、重厚感のある塀を形成することができる。また、フック金具が予め支柱に取付けられているため、現場でのビス止め作業が削減され作業性も向上されるものである。しかしながら、このものはフック金具が支柱の外面から突出するため、搬出入時にフック金具が損傷したり変形したりして金具を交換するなどの必要があった。
【０００５】
【課題を解決するための手段】
本発明は、上記のような実情に鑑みて創作されたものであって、基礎（Ｂ）上に立設される複数の支柱（１）と、該支柱（１）にパネル支持具（２）を介して取付けられるパネルとによって構成される乾式塀において、上記支柱（１）にパネル支持具（２）を取付けるにあたり、支柱（１）には開口溝（１１）を形成し、該開口溝（１１）は内側壁に係止突起（１１ａ）を有すると共に、上下方向所定間隔を存して開口溝（１１）の開口端より溝底方向に切り欠かれ、その下方側に顎部（１２ａ）を有する切欠（１２）を形成する一方、上記パネル支持具（２）には前記顎部（１２ａ）に嵌合する折曲片（２ａ）を形成すると共に、該折曲片（２ａ）を前記顎部（１２ａ）嵌合した状態で、上記切欠（１２）に嵌入掛止する突片（６ｃ）を有し、かつ両側辺（６ａ）には上記係止突起（１１ａ）と係止可能な係止突起（６ｂ）を有する固定具（６）を上記開口溝（１１）に嵌合することにより、前記折曲片（２ａ）と顎部（１２ａ）との嵌合を保持することにより、両部材を容易に固定することができる。
【０００６】
【発明の実施の形態】
以下本発明の実施の形態について、図面に基づき説明する。図１は、本発明のパネル支持具の固定構造を用いた乾式塀の縦断面を表わしている。この乾式塀は基礎Ｂに立設される複数の支柱１，１・・・と、これら支柱間に横架され、パネル３を支持するパネル支持具２と、最上段パネルの上端部を保持するパネル押え具４及び笠木５とから構成されている。
【０００７】
図２は基礎ブロックＢ上に取付けられる支柱１を表わしている。支柱１はアルミニウム製の押出型材よりなり、中空部１ａとその表裏面には開口溝１１，１１がそれぞれ形成されている。該開口溝１１は内側壁に係止突起１１ａ，１１ａを有するとともに、切欠１２が上下方向に所定間隔を存して形成されている。切欠１２は開口溝１１の開口端より溝底方向に切り欠かれ、その下方側には顎部１２ａが形成されている。
上記のように構成された支柱１は、その下端がコンクリート基礎ブロックＢに固定され、地面に対して立設固定されている。
【０００８】
図３は、パネル支持具２を支柱１に取付る手順を表わした図である。パネル支持具２は長尺状の型材よりなり、前記支柱に形成された顎部１２ａに嵌合する折曲片２ａと、パネルの上下端部を支持する支持片２ｂとを有している。
６は固定具であって、図４（Ａ）（Ｂ）に示す通り、断面略コ字形の部材よりなり、支柱１の開口溝１１に内嵌するよう、幅及び奥行きの寸法設定がなされている。また、両側辺６ａ，６ａには、前記開口溝１１に形成された係止突起１１ａ，１１ａと互いに係止可能な係止突起６ｂ，６ｂが形成されている。また、両側片６ａ，６ａの下端には、垂直方向に延びる突片６ｃ，６ｃが形成されている。
【０００９】
以上のように構成された支柱１とパネル支持具２とを固定するには、先ず図３（Ａ）に示すように、パネル支持具の折曲辺２ａを支柱に形成された切欠１２に挿入した後、顎部２ａに嵌合させる。（この状態でパネル支持具２は支柱１に仮支持された状態となっている。）
次いで、固定具６の突片６ｃ，６ｃを切欠１２に嵌入させながら、固定具６を開口溝に嵌合固定する。（図３（Ｂ）の状態）これにより、固定具の突片６ｃ，６ｃが切欠１２に掛止されることとなり、折曲片２ａの上動が規制されパネル支持具２は支柱１に完全に固定されることとなる。
したがって、支柱１とパネル支持具２を固定するにあたり、ビス止め作業を一切必要とせずに、簡単かつ確実に両部材を固定することが出来る。
【００１０】
以下図５乃至図８に基づいて、本発明のパネル支持具の固定構造を用いた乾式塀の組立て方法について説明する。
図５及び図６は最下端パネルの取付方法およびその施工例を表わしている。
最下端パネルを取付けるには、先ず支柱１の下端に形成された切欠１２に最下端パネル用のパネル支持具２１を固定具６により固定する。（最下端パネル用のパネル保持具２１は下端に水切片２１ｃが形成されている他はパネル保持具２と同様）そして、この支持具２１にパネル３の下端部を支持させ、かつ、上端部を別のパネル支持具２の支持片２ｂに保持させながら、このパネル支持具２の折曲辺２ａを上段の切欠１２の顎部１２ａに嵌合させ仮支持させた後、固定具６により固定する。
以上の作業により最下端パネルが取付けられる。そして、同様の手順により図６のような最下端パネル層を形成する。
【００１１】
次いで、最下端パネルの上端部を保持しているパネル支持具２に２段目のパネルの下端部を支持させ、かつ、上端部をさらに別のパネル支持具２に保持させながら、支柱に仮支持させた後、固定具６により固定する。
以下同様にして、下段側のパネル層に順次パネルを積み上げていくことにより、塀の壁面が形成される。
【００１２】
図７及び図８は最上段パネルと笠木の取付方法を表わした図である。最上段パネルの固定は、上記のようにパネル支持具２により支柱に仮支持させた後、パネル押え具４で折曲片２ａを抑えた後、パネル押え具４をビス４１により支柱に固着することにより固定される。そして、このパネル押え具４に形成された係止片４ａ，４ａに笠木５の係止片５ａ，５ａを係止することにより、笠木５が取り付けられる。
【００１３】
【発明の効果】
以上述べた通り、本発明のパネル支持具の固定構造によれば、パネル支持具を支柱に取付けるにあたり、現場におけるビス止め作業を大幅に削減することができるため、作業性が向上するとともに作業コストの削減を図ることができる。
【図面の簡単な説明】
【図１】本発明のパネル支持具の固定構造を利用した乾式塀の縦断面図である。
【図２】支柱が基礎ブロックに立設固定されている状態を示す斜視図である。
【図３】（Ａ）および（Ｂ）はパネル支持具と支柱との固定方法を示す側面図である。
【図４】（Ａ）および（Ｂ）は、固定具の平面図および斜視図である。
【図５】最下端パネルの取付方法を示す斜視図である。
【図６】本発明のパネル支持具の固定構造を利用した乾式塀の施工例を示す斜視図である。
【図７】パネル上端部の取付方法を示す斜視図である。
【図８】笠木部の縦断面図である。
【符号の説明】
Ｂ      基礎ブロック
１      支柱
２      パネル支持具
２ａ    折曲片
３      パネル
６      固定具
６ｃ    突片
１１    開口溝
１２    切欠
１２ａ  顎部
【図１】
0003704637.tif 000002
【図２】
0003704637.tif 000003
【図３】
0003704637.tif 000004
【図４】
0003704637.tif 000005
【図５】
0003704637.tif 000006
【図６】
0003704637.tif 000007
【図７】
0003704637.tif 000008
【図８】
0003704637.tif 000009